(57)【特許請求の範囲】
【請求項１】
散布剤タンク内の散布剤の排出量を調量する調量弁を動作させる調量レバーと、該調量レバーが枢支される枢支部を有し、前記調量レバーの揺動を案内するレバーガイドとを備えた背負式散布機の調量レバー装置において、前記調量レバーは、前記調量弁の開度調節領域及び該開度調節領域を越えて上方へ揺動可能であり、前記レバーガイドは、前記調量レバーの前記開度調節領域での揺動を許容する調量ガイド部と、該調量ガイド部を越えて上方側への揺動を許容する格納ガイド部とを有しており、前記枢支部に枢着され、前記調量レバーに当接して該調量レバーの揺動上限を段階的に規制すべき上限規制体を備えることを特徴とする背負式散布機の調量レバー装置。
【発明の詳細な説明】
【０００１】
【発明の属する技術分野】
本発明は薬剤・肥料等の散布剤を圃場等に散布する背負式散布機の調量レバー装置に関する。
【０００２】
【従来の技術】
従来、実公平６ー３４８４３号公報に記載されているように、背負式散布機において、枢支部を中心とする上下方向の揺動操作で調量弁を開閉動作させる調量レバーと、該調量レバーを案内するレバーガイドとは、背負い部の下端で、その左右一側に装着されている。また、調量レバーは、背負部に対し前方に大きく突出させて、作業者が背負った状態で調量レバーの自由端側操作部を把持して上下方向に揺動操作できるようにしており、また、レバーガイドは、上下方向に延びて調量弁の開度調節領域を設定するガイド条孔を備え、このガイド条孔に調量レバーを挿通して、該調量レバーを前記開度調節領域内でのみ揺動可能にしている。
【０００３】
【発明が解決しようとする課題】
ところが、この従来のものにおいて、調量弁の開度調節領域を設定するガイド条孔の位置及び長さは、該ガイド条孔に挿通する調量レバーの自由端側操作部を背負い状態で容易に揺動操作が行える位置及び長さに制約されるから、未使用時に調量レバーをガイド条孔の下端又は上端に揺動させた状態においても、該調量レバーが他の部材に対し前方に大きく突出することになる。従って、散布機の梱包ケースが大形となり、梱包ケースのコストが高くなると共に、嵩高となって搬送効率が悪くなり、さらに未使用時に調量レバーが邪魔となる不具合があった。本発明は、調量レバーにより調量弁の開度調節ができて、しかも、未使用時に調量レバーが外方に突出するのを簡易に防ぐことができる調量レバー装置を提供することを主たる目的とする。
【０００４】
【課題を解決するための手段】
本発明は、上記目的を達成するために、請求項１記載の発明は、図１に示すように、散布剤タンク内の散布剤の排出量を調量する調量弁を動作させる調量レバーと、該調量レバーが枢支される枢支部を有し、前記調量レバーの揺動を案内するレバーガイドとを備えた背負式散布機の調量レバー装置において、前記調量レバーは、前記調量弁の開度調節領域及び該開度調節領域を越えて上方へ揺動可能であり、前記レバーガイドは、前記調量レバーの前記開度調節領域での揺動を許容する調量ガイド部と、該調量ガイド部を越えて上方側への揺動を許容する格納ガイド部とを有しており、前記枢支部に枢着され、前記調量レバーに当接して該調量レバーの揺動上限を段階的に規制すべき上限規制体を備えることを特徴とする。
【０００５】
【発明の作用効果】
請求項１記載の発明では、背負い状態で散布作業を行う場合、調量レバーを、レバーガイドの調量ガイド部において開度調節領域内で調量操作することができるから、背負い状態で調量レバーを容易に操作できるのであり、しかも、この調量レバーは、レバーガイドの調量ガイド部を越えてさらに上方側の格納ガイド部に揺動させることができるから、未使用時には、調量レバーを、調量ガイド部を越えて格納ガイド部に揺動させるだけの簡単な操作で、調量レバーを格納でき、該調量レバーが外方に突出するのを簡易に防ぐことができるのである。この結果、散布機の梱包ケースを小形にでき、梱包ケースのコストを低減できると共に、嵩低にできて搬送効率を良好にでき、さらに未使用時に調量レバーが邪魔となるのを防止できるのである。
【０００６】
【発明の実施形態】
図４〜図６に示した背負式散布機は、作業者が背中に背負う背負部１ａをもつ背負枠１の背面側に、エンジン２を装備し且つ上部に横長状の散布剤受入口３１をもつ送風装置３を取付け、この送風装置３の上方に、上部に散布剤投入口４１をもち且つ底部を横長状に形成した散布剤タンク４を着脱可能に装着している。
【０００７】
この散布剤タンク４は、上部の投入口４１側から底部に向かって絞り込まれた略漏斗状で、底面を開放したタンク本体４Ａと、該タンク本体４Ａの底部に、下方側から着脱可能に挿嵌支持する角形リング状の弁箱４Ｂとから成り、これらタンク本体４Ａと弁箱４Ｂとの左右両側を、逆Ｕ字形のボルト４２とナット４３とで着脱可能に結合すると共に、前記弁箱４Ｂのタンク本体４Ａから下方への突出部内側に、散布剤タンク４内の散布剤を調量して前記受入口３１に供給する調量弁５を、横方向の弁軸５１を介して開閉自在に設けている。尚、タンク本体４Ａと弁箱４Ｂとを一体として散布剤タンク４を構成してもよい。
【０００８】
送風装置３は、前記エンジン２により駆動されるファン３Ａと、該ファン３Ａを内蔵したファンケース３Ｂとから成り、このファンケース３Ｂ内に、ファン３Ａの回りに沿って延びる送風通路３２と、この送風通路３２の出口近くから前記散布剤受入口３１に連通する散布剤供給路３３とを備え、送風通路３２の出口にエルボ管１０を介して噴管を着脱可能に接続するようにしている。
【０００９】
また、ファンケース３Ｂの下部一側に、レバー受体１２を取付け、このレバー受体１２に、横軸から成る枢支部１３を中心として上下方向に揺動可能な調量レバー６と、該調量レバー６を案内するレバーガイド７とを装着し、調量レバー６の反操作部側端部と前記弁軸５１の端部に突設した杆受体５２とを、ロッドから成る連結部材１４で連結し、調量レバー６の上下方向の揺動操作で前記調量弁５を開閉動作させるようにしている。
【００１０】
調量レバー６は、レバー受体１２と一体に形成された前記枢支部１３に揺動可能に支持される角筒状の基レバー体６Ａと、この基レバー体６Ａの内側にスライド可能に支持され且つ外方への突出部に操作部６０をもつ先レバー体６Ｂとから成り、この先レバー体６Ｂを背負部１ａに対し前方に大きく突出させて、作業者が背負った状態で自由端側操作部６０を把持して水平に近い状態から上方に向かって調量弁５の開度調節領域Ａ及び該開度調節領域Ａを越えてさらに上方に揺動可能にしている。
【００１１】
基レバー体６Ａには、枢支部１３に対し一方側の両側部に、長さ方向に延びるガイド孔６１を設け、他方側下部に、長さ方向に所定間隔をおいて複数個の規制凹部６２を設けると共に、この他方側の内側部に、前記レバーガイド７に形成される位置決め凹部の一つに選択的に係合する合成樹脂製の弾性変位可能な位置決め体１５を設けている。
【００１２】
また、先レバー体６Ｂには、前記枢支部１３を受入れる長孔６３を設けて、基レバー体６Ａに対しスライド自在にすると共に、長孔６３に対し操作部６０と反対側端部に、前記枢支部１３の軸心と並行で前記ガイド孔６１に突入する連結ピン１６を回動自在に保持し、この連結ピン１６の一端部に、前記連結部材１４の下端部を枢支ピン１７を介して相対回転可能に連結し、先レバー体６Ｂの基レバー体６Ａに対するスライド時、前記連結ピン１６がガイド孔６１に沿って移動して、連結部材１４の先レバー体６Ｂへの連結点と、基レバー体６Ａの枢支点との間の長さＨを変更できるようにしている。さらに、先レバー体６Ｂの長孔６３に対し操作部６０側には、前記規制凹部６２の一つと選択的に係合する合成樹脂製の弾性変位可能な係合体１８を設けている。
【００１３】
前記レバーガイド７は、前記枢支部１３とともにレバー受体１２と一体に形成されるのであって、調量レバー６の揺動方向に沿って前記枢支部１３を中心とする略四半円形を呈し、調量レバー６との対向内面で、水平に近い下端部に、調量レバー６を水平に近い状態に停止させるストッパ７１を設けると共に、このストッパ７１から上方の所定角内で調量レバー６の前記開度調節領域Ａでの揺動を許容する調量ガイド部７Ａと、この調量ガイド部７Ａを越えて上方側への揺動を許容する格納ガイド部７Ｂとを設けている。調量ガイド部７Ａには、前記位置決め体１５に係合して調量レバー６の揺動角を設定する複数個の第１位置決め凹部７２と、前記枢支部１３の自由端部に枢着する上限規制体１９と係合して調量レバー６の揺動上限を段階的に設定する複数個の規制凹部７３とを設け、また、格納ガイド部７Ｂの終端部には、前記位置決め体１５に係合して調量レバー６を垂直に近い格納状態に停止させる第２位置決め凹部７４を設けている。
【００１４】
前記上限規制体１９は、前記枢支部１３の自由端部に枢着するアーム部１９ａと、該アーム部１９ａの自由端から屈曲する筒部１９ｂとにより略Ｌ字形に形成され、筒部１９ｂ内に、コイルバネにより筒部１９ｂから突出方向に付勢された係止ピン１９ｃを保持し、該係止ピン１９ｃを、その一端に形成された摘みを持って進退動作させるようにしている。
【００１５】
以上の構成において、調量レバー６の先レバー体６Ｂは背負部１ａに対し前方に大きく突出しているため、背負い状態で散布作業を行うとき、調量レバー６における先レバー体６Ｂの操作部６０を把持して調量ガイド部７Ａ領域内で揺動操作することにより、該先レバー体６Ｂと基レバー体６Ａとが一体の状態で揺動し、調量弁５の開度を任意に調節できるのであり、このとき、位置決め体１５が第１位置決め凹部７２の一つと選択的に係合して、調量レバー６の操作位置、ひいては調量弁５の弁開度を維持できる。
【００１６】
また、背負い状態で把持している先レバー体６Ｂを基レバー体６Ａに対し作業者の前後にスライド操作することにより、連結部材１４の先レバー体６Ｂとの連結点と基レバー体６Ａの枢支点との間の長さＨを変更でき、調量レバー６の揺動角に対する調量弁５の開度を変更できるのである。従って、背負い状態で散布作業を行うときにおいても、調量レバー６を把持した状態で調量レバー６に対する弁開度を容易に、かつ正確に変更できるのである。このとき、係合体１８が規制凹部６２の一つと選択的に係合して、先レバー体６Ｂが基レバー体６Ａと一体化する。
【００１７】
また、散布機を出荷するときの梱包或いは散布作業終了後に格納するとき、調量レバー６を、レバーガイド７の調量ガイド部７Ａを越えてさらに上方側の格納ガイド部７Ｂに揺動させるのである。従って、調量レバー６を、少なくとも枢支側部分が垂直に近い状態となるように格納することができるから、調量レバー６が外方に突出するのを簡易に防ぐことができ、散布機の梱包ケースを小形にでき、梱包ケースのコストを低減できると共に、嵩低にできて搬送効率を良好にでき、さらに未使用時に調量レバー６が邪魔となるのを防止できるのである。
【００１８】
尚、以上の実施形態では、調量レバー６を、基レバー体６Ａと先レバー体６Ｂとで構成しているが、その他基レバー体６Ａと先レバー体６Ｂとを一体とした構成でもよい。
【図面の簡単な説明】
【図１】本発明調量装置の縦断正面図。
【図２】同調量装置の横断平面図。
【図３】同上限規制体部分での断面図。
【図４】調量装置を装備した背負式散布機の一部を断面した正面図。
【図５】同調量装置を装備した散布機の一部を断面した側面図。
【図６】同調量装置を装備した散布機の散布剤タンク・背負部を省略した平面図。
【符号の説明】
５    調量弁
６    調量レバー
７    レバーガイド
７Ａ    調量ガイド部
７Ｂ    格納ガイド部
１３    枢支部
Ａ    開度調節領域
【図１】
0003644000.tif 000002
【図２】
0003644000.tif 000003
【図３】
0003644000.tif 000004
【図４】
0003644000.tif 000005
【図５】
0003644000.tif 000006
【図６】
0003644000.tif 000007